(57)【要約】      （修正有）【課題】複数の遠隔操作機能付きレーザポインタが単一の受信機に正しく認識されそれぞれのレーザポインタが好適に受信機と交信し得るシステムを提供する。【解決手段】パーソナルコンピュータやその他の情報処理装置に接続する単一のレシーバ５が、前記情報処理装置が有する表示画面の変更等の遠隔操作を行い得る複数のレーザポインタ１のうち前記ＩＤ設定が行なわれていない何れか一のレーザポインタ１からの前記ＩＤ要求信号を受信してから当該一のレーザポインタ１に対する前記ＩＤ設定が終了するまでは、他のレーザポインタ１からのＩＤ要求信号の受信を拒否するように構成されていることを特徴とする。【選択図】図１
2010204179.tif 000002
【特許請求の範囲】
【請求項１】
パーソナルコンピュータやその他の情報処理装置に接続する単一の受信機と前記情報処理装置が有する表示画面の変更等の遠隔操作を行い得る複数のレーザポインタとを有し、前記レーザポインタから発せられたＩＤ要求信号を前記受信機が受信することによるＩＤ設定を順次行うことによって、前記受信機と前記ＩＤ設定を行った複数の前記レーザポインタとがそれぞれ無線交信して前記遠隔操作を行うものであって、
前記受信機が、前記複数のレーザポインタのうち前記ＩＤ設定が行なわれていない何れか一のレーザポインタからの前記ＩＤ要求信号を受信してから当該一のレーザポインタに対する前記ＩＤ設定が終了するまでは、他のレーザポインタからのＩＤ要求信号の受信を拒否するように構成されていることを特徴とするレーザポインタシステム。
【請求項２】
前記受信機が前記ＩＤ要求信号を受信し得るＩＤ要求待ち状態とするためのＩＤ要求待ちボタンを有するものであり、当該ＩＤ要求待ちボタンが押圧された後、前記ＩＤ要求待ち状態を継続するＩＤ要求待ち時間が所定時間内に設定されている請求項１記載のレーザポインタシステム。
【請求項３】
前記所定時間が８秒〜１２秒に設定されたものである請求項２記載のレーザポインタシステム。
【請求項４】
前記レーザポインタと前記受信機とが前記ＩＤ設定を行い得る距離が、前記レーザポインタが前記遠隔操作を行い得る距離よりも短い距離に設定されたものである請求項１、２又は３記載のレーザポインタシステム。
【請求項５】
前記ＩＤ設定を行い得る距離が、０．３〜１．２ｍに設定されたものである請求項４記載のレーザポインタシステム。
【請求項６】
前記受信機が、前記複数のレーザポインタに対してそれぞれ同一のＩＤを送信するものである請求項１、２、３、４又は５記載のレーザポインタシステム。
→他のシステムを構成する受信機との混信を避けやすくなると共にシンプルな構成とすることができる。
【請求項７】
前記レーザポインタが前記ＩＤ要求信号を送信するためのＩＤ要求送信ボタンを有するものであり、当該ＩＤ要求送信ボタンが押圧されてから前記受信機から送信されるＩＤを受信し得る時間が一定時間以内に設定されたものである請求項１、２、３、４、５又は６記載のレーザポインタシステム。
【請求項８】
前記一定時間が１秒〜３秒に設定されたものである請求項７記載のレーザポインタシステム。
【発明の詳細な説明】
【技術分野】
【０００１】
本発明は、レーザ光をスクリーン等に照射することができ、またプレゼンテーション用のパーソナルコンピュータ等に所要の指令を与えることができるレーザポインタに関する。
【背景技術】
【０００２】
従来、プレゼンテーションや会議等の場で使用され、プロジェクタやＯＨＰ等によりスクリーンに投射した画面の一部をレーザ光で指示するレーザポインタが周知である。
【０００３】
また、単にレーザ光を照射するのみならず、パーソナルコンピュータやその他の情報処理装置側と無線交信して表示画面の変更等の遠隔操作を行い得るものも開発されている。斯かるレーザポインタの具体的な一例としては、ペン型の筐体にレーザ照射用の操作部（押下ボタン）、ページ送り指令用の操作部、及びページ戻し指令用の操作部が設けられており、各操作部を操作することで、レーザ光を照射したり、情報処理装置にページ送りまたはページ戻し指令のみならず、マウスと同様の指令を与えたりすることができるといったレーザポインタを挙げることができる。
【０００４】
また、上述した構成のものにおいては、複数の遠隔操作機能付きレーザポインタ等を単一の受信機に対して通信可能として、プレゼンテーションの場では演者以外の使用者が情報処理装置に上述のようなマウス機能をも含む指令を与え得るようなシステムも考案されている(例えば、特許文献１参照)。
【先行技術文献】
【特許文献】
【０００５】
【特許文献１】特開２００６−１６２０２４号公報
【発明の概要】
【発明が解決しようとする課題】
【０００６】
ここで、レーザポインタを受信機に対して遠隔操作可能に認識させる際にはレーザポインタが受信機が有しているＩＤを受信するというＩＤ設定という作業を要する。しかしながら、複数のレーザポインタが単一の受信機に対してＩＤ設定を行う場合は、前記ＩＤが所要のレーザポインタ以外のレーザポインタに受信されてしまい所要のレーザポインタが正しく認識されないといった、所謂混信が起こってしまうという不具合が考えられる。
【０００７】
また上記混信は同じシステム内のみに起こるものとは限らない。すなわち、レーザポインタからのＩＤ要求信号が他の同様のシステムに供されている受信機に受信されてしまい、その後他のシステムのプレゼンテーションの進行に不具合を与えてしまったりするということも起こり得ると考えられる。他方、他のプレゼンテーションに供されようとしているレーザポインタが誤って受信機から送信されるＩＤを受信してしまうと、他のプレゼンテーションに係る遠隔操作を受信機が受けてしまうことにより、当該受信機を擁するプレゼンテーションの進行自体に支障を来たしてしまうといった事態も勿論想定されることとなる。
【０００８】
本発明は、このような不具合に着目したものであり、マウス機能等を有する複数の遠隔操作機能付きレーザポインタが単一の受信機に正しく認識されそれぞれのレーザポインタが好適に受信機と交信し得るシステムを提供することを目的としている。
【課題を解決するための手段】
【０００９】
本発明は、このような目的を達成するために、次のような手段を講じたものである。すなわち本発明に係るレーザポインタシステムは、パーソナルコンピュータやその他の情報処理装置に接続する単一の受信機と前記情報処理装置が有する表示画面の変更等の遠隔操作を行い得る複数のレーザポインタとを有し、前記レーザポインタから発せられたＩＤ要求信号を前記受信機が受信することによるＩＤ設定を順次行うことによって、前記受信機と前記ＩＤ設定を行った複数の前記レーザポインタとがそれぞれ無線交信して前記遠隔操作を行うものであって、前記受信機が、前記複数のレーザポインタのうち前記ＩＤ設定が行なわれていない何れか一のレーザポインタからの前記ＩＤ要求信号を受信してから当該一のレーザポインタに対する前記ＩＤ設定が終了するまでは、他のレーザポインタからのＩＤ要求信号の受信を拒否するように構成されていることを特徴とする。
【００１０】
このようなものであれば、複数のレーザポインタと受信機との通信が混信してしまうという不具合、具体的にはＩＤ要求信号を送信したレーザポインタとは別のレーザポインタに対してＩＤが送信されてしまうといった不具合を有効に回避することができる。さらに他の同様のシステムに供されるレーザポインタへＩＤが送信されてしまうといった他の同様のシステムとの混信も有効に抑制することが可能となる。
【００１１】
速やかなＩＤ設定を行って簡潔且つ迅速に多数のレーザポインタのＩＤ設定を行い得るものとするためには、受信機を前記ＩＤ要求信号を受信し得るＩＤ要求待ち状態とするためのＩＤ要求ボタンを有するものとし、当該ＩＤ要求ボタンが押圧された後、前記ＩＤ要求待ち状態を継続するＩＤ要求待ち時間を所定時間内に設定することが望ましい。具体的には、当該所定時間を８秒〜１２秒に設定することが好ましい。所定時間が８秒よりも短い時間であれば、使用者のＩＤ設定に係る作業が間に合わずに作業のやり直し等の煩雑な動作を招来するものとなり、１２秒を超えると、一のレーザポインタのＩＤ設定に要する時間が長くなってしまい、複数のレーザポインタのＩＤ設定に多くの時間を要するものとなってしまう。
【００１２】
特に、他の同様のシステムとの混信をさらに有効に回避するためには、レーザポインタと前記受信機とが前記ＩＤ設定を行い得る距離を、前記レーザポインタが前記遠隔操作を行い得る距離よりも短い距離に設定することが望ましい。そして、ＩＤ設定の動作を使用者の明確な意志に基づいた動作でのみ行わせるよう促すための具体的な構成として、ＩＤ設定を行い得る距離を、おおそよ一人の使用者が受信機のある場所で行えるような距離である、０．３〜１．２ｍに設定しておくことが望ましい。ここで上述した距離が０．３ｍ以下であればレーザポインタの位置がＩＤ設定し得る範囲外となり易くなってしまうのでＩＤ設定を煩雑なものに思わせてしまうおそれがある。他方１．３ｍ以上であれば、上述した混信の可能性を十分に低減し得るものではなくなってしまうものとなる。
【００１３】
そして受信機を、前記複数のレーザポインタに対してそれぞれ同一のＩＤを送信するものとすれば、他のシステムを構成する受信機とは異なるＩＤとし易い構成となり、他のシステムとの混信をシンプルな構成を用いて有効に回避し得るものとなる。
【００１４】
そしてさらに簡潔且つ迅速に多数のレーザポインタのＩＤ設定を行い得るものとするためには、前記レーザポインタを前記ＩＤ要求信号を送信するためのＩＤ要求送信ボタンを有するものとして、当該ＩＤ要求送信ボタンが押圧されてから前記受信機から送信されるＩＤを受信し得る時間が一定時間以内に設定することが望ましい。
【００１５】
具体的には、当該一定時間を１秒〜３秒に設定することが好ましい。すなわち、一定時間が１秒よりも短い時間であれば、何らかの要因で受信機が前記ＩＤ要求信号を受信出来ずにＩＤ設定作業のやり直し等の煩雑な動作を招来するものとなり、３秒を超えると、一のレーザポインタのＩＤ設定に要する時間がやはり長くなってしまい、複数のレーザポインタのＩＤ設定に多くの時間を要するものとなってしまう。
【発明の効果】
【００１６】
本発明によれば、複数のレーザポインタと受信機との通信が混信してしまうという不具合、具体的にはＩＤ要求信号を送信したレーザポインタとは別のレーザポインタに対してＩＤが送信されてしまうといった不具合を有効に回避することができるレーザポインタシステムを提供することが可能となる。同時に、他の同様のシステムに供されるレーザポインタへＩＤが送信されてしまうといった他の同様のシステムとの混信も有効に抑制することを可能としたレーザポインタシステムを提供することが可能となる。
【図面の簡単な説明】
【００１７】
【図１】本発明の一実施形態に係るレーザポインタシステムを示す外観図。
【図２】同システムに供されるレーザポインタの外観図。
【図３】同正面図。
【図４】同左側面図。
【図５】同右側面図。
【図６】同システムに供される受信機の外観図。
【図７】同システムにおけるＩＤ設定を説明するためのフロー図。
【発明を実施するための形態】
【００１８】
以下、本発明の一実施の形態について図面を参照して説明する。
【００１９】
プレゼンテーションや会議等の場で用いられる本実施形態に係るレーザポインタシステムＳは、図１に示すように、複数のレーザポインタ１を用いながら、スライドやページ等を表示したり、画像及び／または音声を再生したり、録画／録音したりするための情報処理装置６を使用する。情報処理装置６は、具体的にはパーソナルコンピュータ、多機能型のテレビジョン受像器、ディスク再生装置や記録装置等であり、図１に示しているように、必要に応じてプロジェクタ７、モニタ、アンプ及びスピーカ、カメラ、マイク等の機器を接続する。また、情報処理装置６には、レーザポインタ１から発信される無線信号を受信する単一の受信機たるレシーバ５を接続する。
【００２０】
すなわち本実施形態に係るレーザポインタシステムＳは、同図に示すように、パーソナルコンピュータやその他の情報処理装置６に接続するレシーバ５と情報処理装置６が有する表示画面の変更等の遠隔操作を行い得る複数のレーザポインタ１によって構成され、会議や研究発表等のプレゼンテーションの場においては、演者のみならず、他のメンバーによっても、表示画面の変更等の遠隔操作を行うことができるものである。そのため、当該プレゼンテーションの進行のみならず、その後のディスカッションにおいて表示画面の変更が頻繁に行なわれる場合であっても、複数のメンバーによる速やかな表示画面の変更を可能なものとして、プレゼンテーションを含む会合全体の流れをスムーズに進行させ得るものとなっている。なお、ＩＤ設定を経たレーザポインタ１がレシーバ５と交信して遠隔操作を行い得る最大距離は、本実施形態では一例として３０ｍに設定している。
【００２１】
そして本実施形態では、このように複数のレーザポインタ１がレシーバ５に対して同様に通信して、情報処理装置６の操作を行わせるために、レーザポインタ１から発せられたＩＤ要求信号をレシーバ５が受信することによるＩＤ設定を、順次行っていくという作業を行うものである。そうすることにより、レシーバ５と所要の数のレーザポインタ１とが前記ＩＤ設定によって容易に、それぞれ無線交信し得るものとなっている。そして本実施形態では、斯かるＩＤ設定の作業がメンバーによる明確な意志により行い得るとともに近隣の他のプレゼンテーションに供されているレーザポインタをレシーバが誤認しないよう、レーザポインタ１とレシーバ５とがＩＤ設定を行い得る距離を１ｍ以内に設定している。
【００２２】
ここで、本実施形態に係るレーザポインタシステムＳは、レシーバ５が、複数のレーザポインタのうち前記ＩＤ設定が行なわれていない何れか一のレーザポインタからのＩＤ要求信号を受信してから当該レーザポインタ１に対する前記ＩＤ設定が終了するまでは、他のレーザポインタ１からのＩＤ要求信号の受信を拒否するように構成されていることを特徴としている。
【００２３】
以下、レーザポインタシステムＳを構成するレーザポインタ１、及びレシーバ５の構成、並びに当該レーザポインタ１とレシーバ５とが行うＩＤ設定の手順について、説明する。
【００２４】
レーザポインタ１は、図２ないし図５に示すように、使用者が把持する把持部２３を有する本体２と、本体２上面に設けた照射用操作部３０、指令用操作部３１及び第二指令用操作部３２の他、カーソル操作部３３、第一クリックボタン３４ａ、第二クリックボタン３４ｂ及び第三クリックボタン３４ｃを主に有したものである。
【００２５】
本体２は、前後に伸長しつつ前後方向の中間部でなだらかに湾曲した形状をなしており、その湾曲を開始した部位から後方（使用者から見て手前方）が把持部２３となる。本体２には、情報処理装置６に向けて無線信号を送出するための無線トランシーバ４１、レーザ光を発振するためのレーザ素子４２、トランシーバ４１やレーザ素子４２を制御する制御回路４３等を内蔵している。これらトランシーバ４１、レーザ素子４２及び制御回路４３等は、本体２の前半部に所在する。加えて、本体２の後半部の下方領域には、電池を収容する電池ボックス２５を設けている。
【００２６】
照射用操作部３０は、レーザ光を照射する目的で操作されるものである。他方、指令用操作部３１及び第二指令用操作部３２は、情報処理装置６上で実行されるソフトフェアの機能を制御する目的で操作されるものである。第二指令用操作部３２に対する操作は、前記指令用操作部３１に対する操作とは逆の意味を持つ。例えば、ソフトウェアが複数のスライドまたはページを順次表示するプレゼンテーションソフトである場合、指令用操作部３１に対する操作はスライドまたはページを次のものに切り替える旨を意味し、第二指令用操作部３２に対する操作はスライドまたはページを前のものに戻す旨を意味する。プレゼンテーションや会議等の場では、照射用操作部３０及び指令用操作部３１の操作頻度が比較的高く、第二指令用操作部３２の操作頻度はそれよりも低いと考えられる。
【００２７】
さらに、本レーザポインタ１は上述の通り、本体２上面側には、無線マウス（ポインティングデバイス）としての機能をも発揮させるため、カーソル操作部３３、第一クリックボタン３４ａ、第二クリックボタン３４ｂ及び第三クリックボタン３４ｃをさらに有している。カーソル操作部３３は、そのレンズ部３３ａの直上に載せ置かれたユーザの指の位置を光学的に検出するためのものである。カーソル操作部３３は、押下操作することもできる。カーソル操作部３３の押下は既存のマウスの左ボタンのクリックを意味し、カーソル操作部３３の長押しはマウスの中央ボタン（スクロールホイール）のクリックを意味する。カーソル操作部３３の周囲右側にある第一クリックボタン３４ａはマウスの右ボタン、周囲左先端側にある第二クリックボタン３４ｂはキーボードのＡｌｔキー及びＴａｂキー、周囲左基端側にある第三クリックボタン３４ｃは左ボタンのホールドに、それぞれ相当する。しかして、本レーザポインタ１は、カーソル操作部レンズ３３ａを撫でる指の動きに合わせてマウスカーソルを移動させる指令信号や、カーソル操作部３３またはクリックボタン３４ａ、３４ｂ、３４ｃに加えられる操作に対応した指令信号を、情報処理端末６に向けて発信する。カーソル操作部レンズ３３ａ及び各クリックボタン３４ａ、３４ｂ、３４ｃもまた、本体表面から大きく飛び出さないように構成されている。
【００２８】
さらに本レーザポインタ１は図４に示す本体２左側面に、情報処理端末６上で起動している、動画や音声等のコンテンツ表示・再生する所謂メディア再生ソフトウェア等の起動、再生／一時停止及び停止といった操作を行い得る起動ボタン３５ａ、再生／一時停止ボタン３５ｂ及び停止ボタン３５ｃをそれぞれ設けている。
【００２９】
そして本実施形態では、図２及び図５に示される本体２右側面に、電源スイッチ３６、スクリーン切替ボタン３７、そしてＩＤ要求送信ボタン３８を設けている。電源スイッチ３６はレーザポインタ１自体の電源のＯＮ／ＯＦＦを行うための通常のものである。スクリーン切替ボタン３７は、プレゼンテーションソフトウェア等によるスライドショー実行時に押下された場合に、キーボードのＢキーが押下されたのと同等の信号を発信する。結果、スクリーンの表示が黒くなる（暗転する）。元のスライド表示に戻したければ、再度スクリーン切替ボタン３７を押下すればよい。
【００３０】
ＩＤ要求送信ボタン３８は、上述のＩＤ設定を行う際に押圧することにより、レシーバ５からのＩＤを要求するＩＤ要求信号を無線トランシーバ４１に発信させるためのものであるが、当該ＩＤ設定の操作については後に詳述する。
【００３１】
そして、それぞれ上述した各ボタンやスイッチ、すなわち照射用操作部３０、指令用操作部３１、第二指令用操作部３２、カーソル操作部３３、第一クリックボタン３４ａ、第二クリックボタン３４ｂ及び第三クリックボタン３４ｃ、起動ボタン３５ａ、再生／一時停止ボタン３５ｂ、停止ボタン３５ｃ、電源スイッチ３６、スクリーン切替ボタン３７、ＩＤ要求送信ボタン３８は、制御回路４３に電気的に接続している。すなわち照射用操作部３０が操作されたとき、制御回路４３はレーザ素子４２を駆動してレーザ光を発振させ、これを前方に照射する。そして、他のボタンである指令用操作部３１、指令用操作部３１、第二指令用操作部３２、カーソル操作部３３、第一クリックボタン３４ａ、第二クリックボタン３４ｂ及び第三クリックボタン３４ｃ、起動ボタン３５ａ、再生／一時停止ボタン３５ｂ、停止ボタン３５ｃ、電源スイッチ３６、スクリーン切替ボタン３７、ＩＤ要求送信ボタン３８が操作されたときには、制御回路４３はトランシーバ４１を介して所定の指令に係る信号を送信する。
【００３２】
なお本実施形態では、各操作部３０、３１、３２、３３、３４ａ、３４ｂ、３４ｃの先端即ち上端を、本体２の表面即ち上面から突出しないように位置づけている。そして、本体２の上面には、各操作部３０、３１、３２、３３の周縁に隣接する凹部２１、２２、３３ｂを形成してある。凹部２１、２２、３３ｂは、内周が断面視略擂鉢状をなし、各操作部３０、３１、３２の周縁を全周に亘り包囲する。特に、照射用操作部３０の周囲の凹部と指令用操作部３１の周囲の凹部とは連続し、両操作部３０、３１を包囲する一体の凹部２１となっている。この凹部２１は、第二指令用操作部３２の周囲の凹部２２とは隔絶している。
【００３３】
レシーバ５は、図６に示すように、制御回路等を内蔵した筐体５１から、前方に情報処理装置６に接続するための接続プラグ５２（ＵＳＢ、ＩＥＥＥ１３９４等）を突き出させているもので、プラグ５２を介して受信した信号を情報処理装置６に送るとともに情報処理装置６から給電を受ける。筐体５１の上下面を一部切り欠いており、使用者がこの切欠部分５４を摘んでレシーバ５を抜き差ししやすいようにしている。
【００３４】
そしてレシーバ５は、本実施形態では本体後端面に、複数のレーザポインタ１に対して順次ＩＤ設定を行うためのＩＤ要求待ちボタン５５を設けるとともに、内部には、接続プラグを介してプラグ５２を介して受信した信号を情報処理装置６に送るかレシーバ５自体がレーザポインタ１と送信するための、破線で図示する受信機側トランシーバ５６とを有している。
【００３５】
しかして本実施形態に係るレーザポインタシステムＳは、複数の上述したレーザポインタ１を、図１に示すような２つのレーザポインタ１のみならず、所要の数だけ取り揃え、それら複数のレーザポインタ１を順次、図７に示すフロー図の通りＩＤ設定を行うことによって、プレゼンテーションに参加するメンバーのうち任意のメンバーが情報処理装置６に対し所要の遠隔操作を行い得るものとなっている。以下、ＩＤ設定の手順について、図７を用いて詳述する。
【００３６】
まず、レーザポインタ１及びレシーバ５がそれぞれアイドル状態となっている状態において、はじめてＩＤ設定が可能である。ここでアイドル状態とは、レーザポインタ１においてはＩＤ要求送信ボタン３８が押圧されておらず図７の何れのステップにもない状態であり、レシーバ５においてはＩＤ要求待ちボタン５５が押圧されておらずに図７の何れのステップにもない状態を指すものとする。
【００３７】
そしてレシーバ５のＩＤ要求待ちボタン５５が押圧されると（ステップＳ２０１）、ＩＤ要求待ち状態が開始される（ステップＳ２０２）。他方レーザポインタのＩＤ要求送信ボタン３８が押圧されることにともなって（ステップ１０１）、レーザポインタ１はＩＤ要求信号を半径１ｍの範囲内のみに届くように送信する（ステップＳ１０２）。
【００３８】
ＩＤ要求待ち状態にあるレシーバ５は、１０秒以内（ステップＳ２０３）にＩＤ要求信号を受信すれば（ステップＳ２０４）、ＩＤ要求待ち状態を終了する（ステップＳ２０５）とともに、この時、ＩＤ要求信号を送信したレーザポインタ以外の他のレーザポインタ１からの一切の遠隔操作やＩＤ要求信号の受信を拒否する状態を開始する。しかる後に、当該レシーバ５が有するロット固有のＩＤを、半径１ｍの範囲内のみに届くように送信し（ステップＳ２０６）、レーザポインタ１からのＩＤ設定終了信号待ち状態を開始する（ステップＳ２０７）。他方１０秒以内に何れのレーザポインタからのＩＤ要求信号を受信し得なかった場合は（ステップＳ２０３）、ＩＤ要求待ち状態を終了してアイドル状態となる。
【００３９】
ここで、前記ステップＳ２０６においては、少なくとも上記の通り個々のレシーバ５が有している固有のＩＤを送信するものであり、前後にＩＤ設定を行う他のレーザポインタ１に対しても同一のＩＤを送信するものとしている。また本実施形態では、当該固有のＩＤの他に、レシーバ５が各レーザポインタ１と正確に交信し得るように、所謂チャンネルに関する情報をも送信し得る態様を採用している。係るチャンネル送信に関しては、周波数の設定に係る技術や時間スロットに係る技術、或いは符号多重分割方式に係る技術といった、既存の種々の技術を適用することができる。
【００４０】
そして前記ステップＳ２０６で送信されたＩＤを、前記ステップＳ１０２に基づいてＩＤ要求信号を送信してから２秒以内（ステップＳ１０３）にレーザポインタ１が受信し得た場合（ステップＳ１０４）、レーザポインタ１は内蔵された図示しない記憶手段へと当該ＩＤを書き込んで記憶する（ステップＳ１０５）。他方レーザポインタ１がＩＤ要求信号の送信（ステップＳ１０２）から２秒以内にＩＤを受信し得なかった場合は（ステップＳ１０３）、アイドル状態へと移行する。
【００４１】
そしてＩＤを記憶レーザポインタ１は、しかる後にＩＤ設定完了信号を送信する（ステップＳ１０６）。
【００４２】
他方レシーバ５側では、前記ステップＳ２０７に基づいてＩＤ設定終了待ち状態が開始されてから８秒以内（ステップＳ２０８）にＩＤ設定完了信号を受信し得た場合には（ステップＳ２０９）、レシーバ５は当該レーザポインタ１に対して交信し得る状態、すなわちＩＤ設定を完了させてから、アイドル状態とする。他方８秒以内（ステップＳ２０８）にＩＤ設定完了信号を受信し得なかった場合には、ＩＤ設定が完了しないまま、アイドル状態へと移行することとなる。
【００４３】
ここでステップＳ２０８又はステップＳ２０９からアイドル状態となるということは、前記ステップＳ２０５から継続していた、ＩＤ要求信号を送信したレーザポインタ１以外の他のレーザポインタ１からの一切の遠隔操作やＩＤ要求信号の受信を拒否する状態を終了させる点、並びに、ステップＳ２０７に基づくＩＤ設定完了信号待ち状態を終了させる点を含んでいるという事をも意味している。
【００４４】
以上のような構成とすることにより、本実施形態に係るレーザポインタシステムＳは、図７のようなＩＤ設定作業中であるレーザポインタ１に対する前記ＩＤ設定が終了するまでは、受信機たるレシーバ５が他のレーザポインタ１からのＩＤ要求信号の受信を拒否するように構成されているので、複数のレーザポインタ１とレシーバ５との通信が混信してしまうという不具合、具体的にはＩＤ要求信号を送信したレーザポインタ１とは別のレーザポインタ１に対してＩＤが送信されてしまうといった不具合を有効に回避されたものとなっている。さらに他の同様のシステムに供されるレーザポインタ１へＩＤが送信されてしまうといった他の同様のシステムとの混信も有効に抑制することが可能なものとなっている。
【００４５】
また本実施形態では、速やかなＩＤ設定を行って簡潔且つ迅速に多数のレーザポインタ１のＩＤ設定を行い得るものとするために、ＩＤ要求ボタンが押圧された後、ＩＤ要求待ち状態を継続するＩＤ要求待ち時間を１０秒以内に設定している。すなわち、このような構成により、使用者のＩＤ設定に係る作業が間に合わずに作業のやり直し等の煩雑な動作を招来することも、一のレーザポインタ１のＩＤ設定に要する時間が長くなってしまうことも有効に回避し得たものとなっている。
【００４６】
特に本実施形態では、レーザポインタ１とレシーバ５とがＩＤ設定を行い得る距離を１ｍ以内と設定しているので、他の同様のシステムとの、ＩＤ設定時の混信をさらに有効に回避し得たものとなっているとともに、ＩＤ設定の動作を使用者の明確な意志に基づいた動作でのみ行わせるよう促することにも寄与している。そしてこの構成は、上述した距離が０．３ｍとして、レーザポインタ１の位置がＩＤ設定し得る範囲外となり易くなってしまいＩＤ設定を煩雑なものに思わせてしまうことも、距離が１．３ｍ以上とした場合に、上述した混信回避の効果を十分に享受し得なくなることも有効に回避し得たものとなっている。
【００４７】
そして本実施形態ではレシーバ５が、複数のレーザポインタ１に対してそれぞれ同一のＩＤを送信するものとして、他のシステムを構成する他のロットのレシーバ５との混信の可能性をシンプルな構成としながらも排除し得たものとなっている。
【００４８】
さらに本実施形態では、さらに簡潔且つ迅速に多数のレーザポインタ１のＩＤ設定を行い得るものとするために、前記レーザポインタ１を前記ＩＤ要求信号を送信するためのＩＤ要求送信ボタンを有するものとして、当該ＩＤ要求送信ボタンが押圧されてから前記レシーバ５から送信されるＩＤを受信し得る時間が一定２秒以内に設定したものとしている。このようにすることで、斯かる一定時間を１秒よりも短い時間として、何らかの要因でレシーバ５が前記ＩＤ要求信号を受信出来ずにＩＤ設定作業のやり直しを余儀なくされるという不具合や、前記一定時間を３秒を超える時間として、一のレーザポインタ１のＩＤ設定に要する時間がやはり長くなってしまうという不具合をも有効に回避し得たものとなっている。
【００４９】
以上、本発明の実施形態について説明したが、各部の具体的な構成は、上述した実施形態のみに限定されるものではなく、本発明の趣旨を逸脱しない範囲で種々変形が可能である。
【００５０】
例えば、上記実施形態ではマウス機能付きのレーザポインタについての態様を開示したが、勿論、マウス機能を有さずに、例えばプレゼンテーションソフトのページ送り等の機能のみを搭載したものに適用した態様であってもよい。またレーザポインタの形状やレシーバの機能や形状に関する具体的な態様は上記実施形態のものに限定されることはなく、既存のものを含め、種々の態様のものを適用することができる。
【符号の説明】
【００５１】
１…レーザポインタ
３８…ＩＤ要求送信ボタン
５…受信機（レシーバ）
５５…ＩＤ要求待ちボタン
６…情報処理装置
Ｓ…レーザポインタシステム
【図１】
2010204179.tif 000003
【図２】
2010204179.tif 000004
【図３】
2010204179.tif 000005
【図４】
2010204179.tif 000006
【図５】
2010204179.tif 000007
【図６】
2010204179.tif 000008
【図７】
2010204179.tif 000009